(57)【特許請求の範囲】
【請求項１】
１以上のコンテンツを記憶する記憶手段と、
外部記憶媒体にコンテンツが書込まれる際に書込んだ機器の機器識別子を含めて書込まれるコンテンツ書込情報を、前記外部記憶媒体から読込む読込手段と、
読込まれた前記コンテンツ書込情報に自機器の機器識別子が含まれている場合、読込まれた前記コンテンツ書込情報に基づき、前記記憶手段が記憶する前記１以上のコンテンツのうちの一部のコンテンツを前記外部記憶媒体に書込む第１の書込手段と、
前記第１の書込手段が前記一部のコンテンツを前記外部記憶媒体に書込む場合に、自機器の機器識別子を含む前記コンテンツ書込情報を前記外部記憶媒体に書込む第２の書込手段と
を備えることを特徴とするコンテンツ書込機器。
【請求項２】
前記記憶手段は、前記コンテンツを当該コンテンツの録画時刻と対応付けて記憶し、
前記読込手段は、前記外部記憶媒体に前記コンテンツが書込まれた時刻であるコンテンツ書込時刻を含む前記コンテンツ書込情報を前記外部記憶媒体から読込み、
前記第１の書込手段は、前記記憶手段が記憶する前記１以上のコンテンツのうち、読込まれた前記コンテンツ書込情報に含まれる前記コンテンツ書込時刻よりも後の録画時刻に対応付けられたコンテンツを前記外部記憶媒体に書込み、
前記第２の書込手段は、前記第１の書込手段が前記コンテンツを書込んだ前記コンテンツ書込時刻を含む前記コンテンツ書込情報を前記外部記憶媒体に書込む
ことを特徴とする請求項１記載のコンテンツ書込機器。
【請求項３】
前記記憶手段は、前記コンテンツを当該コンテンツの識別子と対応付けて記憶し、
前記読込手段は、前記外部記憶媒体に書込まれた前記コンテンツのコンテンツ識別子を含む前記コンテンツ書込情報を前記外部記憶媒体から読込み、
前記第１の書込手段は、前記記憶手段が記憶する前記１以上のコンテンツのうち、読込まれた前記コンテンツ書込情報に含まれる前記コンテンツ識別子に基づいたコンテンツを前記外部記憶媒体に書込み、
前記第２の書込手段は、前記第１の書込手段が書込んだ前記コンテンツのコンテンツ識別子を含む前記コンテンツ書込情報を前記外部記憶媒体に書込む
ことを特徴とする請求項１記載のコンテンツ書込機器。
【請求項４】
前記記憶手段は、前記コンテンツを、当該コンテンツの録画完了時刻と対応付けて記憶し、
前記読込手段は、前記外部記憶媒体への前記コンテンツの書込みが完了した時刻であるコンテンツ書込時刻を含む前記コンテンツ書込情報を前記外部記憶媒体から読込み、
前記第１の書込手段は、前記コンテンツ書込時刻よりも後の録画完了時刻と対応付けられた前記コンテンツを前記外部記憶媒体に書込み、
前記第２の書込手段は、前記第１の書込手段が前記外部記憶媒体に対して前記コンテンツの書込みを完了した時刻についての前記コンテンツ書込時刻を含む前記コンテンツ書込情報を前記外部記憶媒体に書込む
ことを特徴とする請求項２記載のコンテンツ書込機器。
【請求項５】
前記外部記憶媒体に対する前記コンテンツの書込可能回数を前記コンテンツ毎に制限する制限手段を更に備え、
前記第１の書込手段は、前記制限手段により制限されない前記コンテンツを前記外部記憶媒体に書込む
ことを特徴とする請求項１記載のコンテンツ書込機器。
【請求項６】
前記外部記憶媒体に前記コンテンツを書き込むか否かをコンテンツ毎に設定する設定手段を更に備え、
前記第１の書込手段は、前記記憶手段に記憶された前記コンテンツのうち、前記設定手段により前記外部記憶媒体に書込むとして設定された前記コンテンツであって、前記コンテンツ書込情報に基づいたコンテンツを前記外部記憶媒体に書き込む
ことを特徴とする請求項１記載のコンテンツ書込機器。
【請求項７】
１以上のコンテンツを記憶する記憶手段と、
外部記憶媒体から、当該外部記憶媒体に割り当てられた媒体識別子を読込む読込手段と、
前記記憶手段が記憶する前記１以上のコンテンツのうち、前記読込手段が読込んだ前記媒体識別子を割り当てられた外部記憶媒体に未書込のコンテンツを当該外部記憶媒体に書込む書込手段と、
前記書込手段が前記外部記憶媒体に書込んだ前記コンテンツと、当該外部記憶媒体の前記媒体識別子とを対応付けて管理する管理手段と
を備えることを特徴とするコンテンツ書込機器。
【発明の詳細な説明】
【技術分野】
【０００１】
本発明の実施形態はコンテンツ書込機器に関する。
【背景技術】
【０００２】
受信したコンテンツを録画するレコーダ装置等において、録画したコンテンツを、可搬性の記憶媒体に自動的に書き込む技術がある。ここで、このような装置においては、当該記憶媒体に既に書き込んだコンテンツを再度重複して書き込むことなくコンテンツを書き込みできることが好ましい。
【０００３】
これに対し、録画機にて録画した番組を簡単に携帯端末で視聴可能とする技術がある（例えば、特許文献１）。特許文献１には、携帯端末向けのリムーバブルメディアが装着されると、装着されたリムーバブルメディアから携帯端末の機器ＩＤを読み取り、録画管理データの機器ＩＤとリムーバブルメディアから読み取った機器ＩＤとが一致する場合、録画管理データの状態を確認し、当該状態が「未転送」である場合、録画番組のファイルをリムーバブルメディアに転送する録画機が開示されている。
【先行技術文献】
【特許文献】
【０００４】
【特許文献１】特開２００７−１５１０４２
【発明の概要】
【発明が解決しようとする課題】
【０００５】
しかしながら特許文献１の録画機は、リムーバブルメディアを複数の携帯端末や録画機に対して利用することを考慮していないため、複数の機器から外部記憶媒体に対して好適なコンテンツを書き込むことができない恐れがある。
【０００６】
そこで本発明は、複数の機器が外部記憶媒体に対して好適なコンテンツを書き込むことを可能とするコンテンツ書込機器の提供を目的とする。
【課題を解決するための手段】
【０００７】
上記の課題を解決する為に、請求項１に記載のコンテンツ書込機器は、１以上のコンテンツを記憶する記憶手段と、外部記憶媒体にコンテンツが書込まれる際に書込んだ機器の機器識別子を含めて書込まれるコンテンツ書込情報を、前記外部記憶媒体から読込む読込手段と、読込まれた前記コンテンツ書込情報に自機器の機器識別子が含まれている場合、読込まれた前記コンテンツ書込情報に基づき、前記記憶手段が記憶する前記１以上のコンテンツのうちの一部のコンテンツを前記外部記憶媒体に書込む第１の書込手段と、前記第１の書込手段が前記一部のコンテンツを前記外部記憶媒体に書込む場合に、自機器の機器識別子を含む前記コンテンツ書込情報を前記外部記憶媒体に書込む第２の書込手段とを備えることを特徴とする。
【０００８】
また、請求項７に記載のコンテンツ書込機器は、１以上のコンテンツを記憶する記憶手段と、外部記憶媒体から、当該外部記憶媒体に割り当てられた媒体識別子を読込む読込手段と、前記記憶手段が記憶する前記１以上のコンテンツのうち、前記読込手段が読込んだ前記媒体識別子を割り当てられた外部記憶媒体に未書込のコンテンツを当該外部記憶媒体に書込む書込手段と、前記書込手段が前記外部記憶媒体に書込んだ前記コンテンツと、当該外部記憶媒体の前記媒体識別子とを対応付けて管理する管理手段とを備えることを特徴とする。
【発明の効果】
【０００９】
外部記憶媒体に対して好適なコンテンツを書き込むことが可能となる。
【図面の簡単な説明】
【００１０】
【図１】第１実施形態に係るテレビ装置の利用形態例を示す図。
【図２】第１実施形態に係るテレビ装置及び記憶メディアのシステム構成例を示す図。
【図３】第１実施形態に係るコンテンツ管理データベースの構成例を示す図。
【図４】第１実施形態に係る書込情報データベースの構成例を示す図。
【図５】第１実施形態に係るテレビ装置が表示する設定画面例を示す図。
【図６】第１実施形態に係るテレビ装置によるコンテンツ書込処理フロー例を示す図。
【図７】第２実施形態に係るテレビ装置及び記憶メディアのシステム構成例を示す図。
【図８】第２実施形態に係る書込情報データベースのデータ構成例を示す図。
【図９】第２実施形態に係るテレビ装置によるコンテンツ書込処理フロー例を示す図。
【図１０】第３実施形態に係るテレビ装置及び記憶メディアのシステム構成例を示す図。
【図１１】第３実施形態に係る書込情報データベースのデータ構成例を示す図。
【図１２】第３実施形態に係るテレビ装置によるコンテンツ書込処理フロー例を示す図。
【発明を実施するための形態】
【００１１】
以下、図面を参照して本発明の一実施形態について説明する。
図１は、本実施形態に係るコンテンツ書込機器を含むコンテンツ書込システムの利用形態を示す図である。本実施形態に係るコンテンツ書込機器は、例えばコンテンツを記憶し、当該記憶したコンテンツを記憶メディアに書き込み可能なテレビ装置１０、録画再生装置２０、コンピュータ３０として実現されている。
【００１２】
本システムにおいては、テレビ装置１０、録画再生装置２０、コンピュータ３０、記憶メディア４０等が利用される。ここでテレビ装置１０は、コンテンツを記憶する記憶部１３０及び記憶メディア４０に対するデータの読込／書込を行う読込／書込部１４０等を備える。録画再生装置２０は、コンテンツを記憶する記憶部２１及び記憶メディア４０に対するデータの読込／書込を実行する読込／書込部２２等を備える。コンピュータ３０は、コンテンツを記憶する記憶部３１、読込／書込部３２等を備える。
【００１３】
そして本システムにおいて、テレビ装置１０、録画再生装置２０、コンピュータ３０は、これら装置１０に記憶されたコンテンツの記憶メディア４０への書込及び記憶メディアに書き込まれたコンテンツの読込みを行うことができる。ここでテレビ装置１０は記憶メディア４０に対してコンテンツを書き込むとともに、当該書込についての情報である書込情報を記憶メディア４０に書き込むことができる。またテレビ装置１０は、読込／書込部１４０に記憶メディア４０が接続された場合、当該記憶メディア４０に記憶された書込情報を読込む。
【００１４】
そして本実施形態に係るテレビ装置１０、録画再生装置２０及びコンピュータ３０は、記憶メディア４０に対して書込情報を読込／書込することにより、記憶メディア４０に書込済みのコンテンツを再度重複して書き込むことなくコンテンツを書き込むことができ、複数の機器が外部記憶媒体に対して好適なコンテンツを書き込むことを可能とすることができるものである。
【００１５】
次に図２を参照して、テレビ装置１０のシステム構成例について説明する。なお録画再生装置２０及びコンピュータ３０のシステム構成は、テレビ装置１０のシステム構成と同様であり、ここでは説明を省略する。
【００１６】
テレビ装置１０は、受信部１１０、制御部１２０、記憶部１３０、読込／書込部１４０、デコード部１５０、ＧＵＩ処理部１６０、操作受付部１７０、表示処理部１８０、表示部１９０、等を備えている。
【００１７】
コンテンツ入力部１１０はコンテンツのデータを入力する機能を有し、例えばチューナ（非図示）が受信したテレビ放送のコンテンツや通信モジュール（非図示）がインターネット受信したコンテンツ等のデータを入力する。そしてコンテンツ入力部１１０は、入力したコンテンツのデータを制御部１２０に出力する。
【００１８】
制御部１２０は、録画再生制御部１２１及びコンテンツ書込制御部１２２等を備え、受信部１１０から入力されたコンテンツの再生及び録画、記憶部１３０に記憶されたコンテンツの再生及び記憶メディア４０への書込を制御する。
【００１９】
ここで録画再生制御部１２１は、コンテンツの再生及び録画に係る処理を実行する。録画処理において録画再生制御部１２１は、受信部１１０から入力されたコンテンツを記憶部１３０に出力して記憶部１３０に録画するとともに、当該録画の録画時刻を記憶部１３０に出力し、コンテンツと録画時刻とを対応付けて記憶部１３０に記憶させる。なおここで録画再生制御部１２１、コンテンツの録画時刻として、当該コンテンツの録画完了時刻を記憶部１３０に記憶させることが好ましい。また録画再生制御部１２１は、コンテンツの再生処理において、受信部１１０から入力されたコンテンツ又は記憶部１３０に記憶されたコンテンツをデコード部１５０に出力する。
【００２０】
コンテンツ書込制御部１２２は、記憶部１３０に記憶されたコンテンツの記憶メディア４０への書込処理を制御する。コンテンツ書込制御部１２２は、テレビ装置１０に記憶メディア４０が装着されると、読込／書込部１４０を介して当該記憶メディア４０から書込情報を読込む。そしてコンテンツ書込制御部１２２は、当該取得した書込情報に含まれる機器ＩＤ及び書込時刻情報に基づいたコンテンツを読込／書込部１４０に出力し、当該読込／書込部１４０を介して記憶メディア４０に書込む。なお当該書込処理の詳細については図４を参照して後述する。
【００２１】
そしてコンテンツ書込制御部１２２は、記憶メディア４０に対してコンテンツを書込むとともに、テレビ装置１０の機器ＩＤを記憶メディア４０に書込む。更にコンテンツ書込制御部１２２は、コンテンツの書込時刻についての情報を記憶メディア４０に書込む。
【００２２】
また、ここでコンテンツ書込制御部１２２は、記憶部１３０に記憶された夫々のコンテンツの、記憶メディア４０への書込について設定する為のコンテンツ書込設定画面の生成をＧＵＩ処理部１６０に指示することができる。なお当該コンテンツ書込設定画面は、コンテンツを記憶メディア４０に書込むか否かや、コンテンツの記憶メディアへの書込可能回数等の設定をする為の画面であるが、詳細については図５を参照して後述する。
【００２３】
そしてコンテンツ書込制御部１２２は、当該設定画面に対するユーザ操作入力に応じて、コンテンツを記憶メディア４０に書込むか否か、コンテンツの記憶メディアへの書込可能回数等の情報を、当該コンテンツに対応付けられた管理データとして記憶部１３０に出力する。
【００２４】
記憶部１３０は、録画再生制御部１２１から入力されたコンテンツを記憶し、また当該コンテンツに対応付けられたコンテンツ管理データベース１３２を記憶する。
読込／書込部１４０は、テレビ装置１０に接続（装着）される記憶メディアに対する各種データの読込／書込を実行する。読込／書込部１４０は、テレビ装置１０に記憶メディアが接続された場合、当該記憶メディアから、機器ＩＤとコンテンツ書込時刻とを含む書込情報を読込み、当該書込情報をコンテンツ書込制御部１２２に出力する。また読込／書込部１４０は、コンテンツ書込制御部１２２からコンテンツや書込情報が入力された場合、当該コンテンツや書込情報を記憶メディア４０に書込む。
【００２５】
デコード部１５０は、録画再生制御部１２１から入力されたコンテンツのデコード（復号）を行う。なおデコード部１５０は、コンテンツの映像データと音声データとを分離した後、当該映像データと音声データとを夫々デコードし、デコードした音声を音声処理部（非図示）に、デコードした映像データを表示処理部１８０に出力する。
【００２６】
ＧＵＩ処理部１６０は、録画再生制御部１２１からの指示に基づいて録画設定画面を生成し、当該設定画面に対する、操作受付部１７０から入力される操作入力を処理する。即ちＧＵＩ処理部１６０は、録画再生処理部１２１から、コンテンツ書込設定画面生成の指示を受けると、当該指示に基づいて画面を生成し、生成した画面の映像データを表示処理部１８０に出力する。またＧＵＩ処理部１６０は、操作受付部１７０からの、コンテンツ書込設定画面に対する操作入力を受けると、当該操作入力に基づいて、夫々のコンテンツの書込可能回数の設定や書込機能のＯＮ／ＯＦＦをコンテンツ書込制御部１２２に指示する。
【００２７】
操作受付部１７０は、ＧＵＩ処理部１６０が生成し、表示部１９０に表示される設定画面に対するユーザ操作入力を受け付け、当該操作入力についての通知をＧＵＩ処理部１６０に出力する。
【００２８】
表示処理部１８０は、デコード部１５０及びＧＵＩ処理部１６０から入力される映像データを映像信号に変換し、当該変換した映像信号を表示部１９０に出力する。そして表示部１９０は、表示処理部１８０から入力される映像信号に基づいた映像を表示する。
【００２９】
続いて記憶メディア４０のシステム構成例について説明する。記憶メディア４０は、記憶部４１を備えている。当該記憶部４１は、読込／書込部１４０から入力されるコンテンツや書込情報を格納する機能を有しており、当該書込情報についての書込情報データベース４２を備える。前記記憶部４１に書き込まれるコンテンツは例えば、/VIDEO/PRG001/MOV001.MP4 などのようにファイルとして書き込まれ当該コンテンツのメタ情報は同一フォルダ内に例えば/VIDEO/PRG001/PRG001.INFOとして、更にこれらコンテンツを管理する管理データは/VIDEO/MNG_DATA/に記録される。また前記書込情報データベース４２は、例えば /VIDEO/MNG_DATA/SYNC.INFO ファイルに記載される。なお該書込情報データベース４２ファイルの置かれる場所としてはこの限りではない。
【００３０】
そして書込情報データベース４２には、テレビ装置１０から入力された、当該テレビ装置１０の機器ＩＤ及び当該テレビ装置１０によるコンテンツ書込の完了時刻が格納される。
【００３１】
次に図３を参照して、記憶部１３０に記憶されるコンテンツ管理データベース１３２の構成例について説明する。図３に示すデータベースには、コンテンツＩＤＡ１、録画時刻Ａ２、メディア書込可否Ａ３、書込可能回数Ａ４等が、夫々対応付けて格納される。ここでコンテンツＩＤＡ１は、記憶部１３０に記憶されたコンテンツの識別子であり、記憶部１３０に記憶するコンテンツに対してテレビ装置１０が割り当てる識別子である。また録画時刻Ａ２はコンテンツの録画完了時刻を示している。
【００３２】
メディア書込可否Ａ３はコンテンツを記憶メディアに書き込むか否か、書込可能回数Ａ４はコンテンツを記憶メディアに書き込める回数の残り回数を示しており、Ａ３及びＡ４は、図５にて後述するコンテンツ書込設定画面に対するユーザ操作入力に従って決定される。さらに書込可能回数Ｂ４は、コンテンツが記憶メディア４０に書きこまれた回数分減少する。なおここで説明したコンテンツＩＤＡ１、録画時刻Ａ２、メディア書込可否Ａ３、書込可能回数Ａ４等は、例えばメタデータとしてコンテンツの夫々に付加されていてもよい。
【００３３】
次に図４を参照して、記憶メディア４０に格納される書込情報データベース４２のデータ構成例について説明する。図４は、書込情報データベース４２のデータ構成の一例を示す図である。当該データベースには、記憶メディア４０にコンテンツを書き込んだ機器の機器ＩＤＢ１と、当該機器ＩＤの録画機器による当該記憶メディア４０へのコンテンツ書込時刻Ｂ２が格納される。なお、ここでコンテンツ書込時刻Ｂ２は、例えばコンテンツ書込制御部１２２によるコンテンツ書込の完了時刻等である。また、機器ＩＤＢ１は、テレビ装置１０や録画再生装置２０、コンピュータ３０等の機器に夫々一意に割り当てられている識別子である。
【００３４】
テレビ装置１０のコンテンツ書込制御部１２２は、読込／書込部１４０を介して書込情報データベース４２を読み込み、当該データベースに基づいて、記憶部１３０に格納されたコンテンツのうち一部のコンテンツを記憶メディア４０に書き込む。即ちコンテンツ書込制御１２２は、読み込んだ書込情報データベース４２に、自機器のＩＤが格納されているか判別し、自機器ＩＤが格納されている場合、当該ＩＤに対応付けられているコンテンツ書込時刻を抽出する。そして、記憶部１３０に記憶されているコンテンツのうち、録画時刻が当該コンテンツ書込時刻以降であるコンテンツを記憶メディア４０に対して出力／書込みする。
【００３５】
また、コンテンツ書込制御部１２２は、記憶部１３０に記憶されているコンテンツのうち、録画時刻が当該コンテンツ書込時刻以降であるコンテンツであって書込可能回数が１以上のコンテンツを記憶メディア４０に対して書き込み、書込可能回数が０であるコンテンツや、記憶メディアに対して書込まないと設定されたコンテンツの記憶メディア４０に対する書込みを制限してもよい。
【００３６】
さらにコンテンツ書込制御部１２２は、記憶メディア４０から読込んだ書込情報データベースに当該テレビ装置１０の機器ＩＤが含まれない場合、記憶部１３０に記憶されている全てのコンテンツを記憶メディアに書き込んでもよい。
【００３７】
次に図５を参照して、ＧＵＩ処理部１６０が生成するコンテンツ書込設定画面の例について説明する。
当該設定画面は、記憶メディア４０がテレビ装置１０に接続された場合に、該記憶メディア４０にコンテンツを書き込むか否か等を、例えばコンテンツ毎に設定するための画面である。当該設定画面の領域Ｃ１には、記憶メディアに対するコンテンツの書込可否を設定する旨が表示される。そして選択ボックスＣ２は、書込の可否を決定するための選択ボックスである。また領域Ｃ３には、記憶メディアにコンテンツを書き込むと設定した場合に、当該記憶メディアに何回書込み可能かを設定する旨が表示される。そして領域Ｃ４には、記憶メディアに対する書込み可能回数をユーザが設定するためのボックスが表示される。そしてテレビ装置１０は、当該設定画面に対するユーザ操作入力を受けると、当該操作入力に従い、コンテンツ管理データベース１３２に書込可否情報及び書込可能回数情報を格納する。
【００３８】
なおテレビ装置１０は、当該設定画面に対するユーザ操作入力に従って、コンテンツの記憶メディアへの書込可否や書込可能回数を決定しなくとも、例えば全てのコンテンツに対して当該書込可能回数のデフォルトの値を設定しても構わない。
【００３９】
次に図６を参照して、本実施形態のテレビ装置１０による記憶メディア４０へのコンテンツ書き込みに係る処理フロー例を説明する。
まず、テレビ装置１０に記憶メディア４０が挿入されると、コンテンツ書込制御部１２２は、読込／書込部１４０を介して記憶メディア４０の記憶部４１に格納された書込情報データベース４２を読込み、当該データベースに含まれる機器ＩＤと当該機器ＩＤに対応付けられたコンテンツ書込時刻を取得する（Ｓ５０１）。
【００４０】
そしてコンテンツ書込制御部１２２は、Ｎ＝１をセットした後（Ｓ５０２）、記憶部１３０に記憶されたＮ個のコンテンツのうちコンテンツＮの録画時刻と、記憶メディア４０から取得したＩＤのうちテレビ装置１０の機器ＩＤと一致する機器ＩＤに対応付けられたコンテンツ書込時刻とを比較する。なおここでコンテンツ書込制御部１２２は、コンテンツＮの録画完了時刻とコンテンツ書込完了時刻とを比較することが好ましい。そしてコンテンツＮの録画時刻が当該コンテンツ書込時刻より前である場合（Ｓ５０３のＮｏ）、コンテンツ書込制御部１２２はＳ５０８の処理を行う。
【００４１】
一方Ｓ５０３において、コンテンツＮの録画時刻がコンテンツ書込時刻以降である場合（Ｓ５０３のＹｅｓ）、続いてコンテンツ書込制御部１２２は、コンテンツＮの書込可能回数を判別する。そして書込可能回数が１以上である場合（Ｓ５０４のＹｅｓ）、コンテンツ書込制御部１２２は、当該コンテンツＮのデータを読込／書込部１４０を介して記憶メディア４０に書込し、記憶部４１に書き込む（Ｓ５０５）。
【００４２】
またコンテンツ書込制御部１２２は、コンテンツＮを書き込むとともに、テレビ装置１０の機器ＩＤと、コンテンツＮの書込完了時刻とを対応付けて、記憶メディア４０の書込情報データベース４２に書き込む（Ｓ５０６）。そしてコンテンツ書込制御部１２２は、コンテンツＮの書込可能回数を１回分減らしてコンテンツ管理データベース１３２を更新する（Ｓ５０７）。なおＳ５０７においてコンテンツ書込制御部１２２は、コンテンツＮの書込回数が０になった場合に、当該コンテンツＮを記憶部１３０から削除してもよい。
【００４３】
そしてコンテンツ書込制御部１２２は、Ｓ５０３〜Ｓ５０７において処理の対象となったコンテンツの番号が、記憶部１３０に記憶されたＮ個のコンテンツのうち何番目のコンテンツであるか判定し、コンテンツの番号がＮ以下である場合（Ｓ５０８のＮｏ）、次の番号のコンテンツをセットし（Ｓ５０９）、Ｓ５０３の処理を行う。
【００４４】
そしてコンテンツ書込制御部１２２は、Ｓ５０３〜Ｓ５０９の処理を繰り返し、Ｓ５０３〜Ｓ５０７での処理対象コンテンツの番号がＮ番であると（５０８のＹｅｓ）、当該コンテンツ書き込みに係る処理フローは完了する。
【００４５】
第１実施形態に拠れば、テレビ装置１０は、記憶メディア４０から機器ＩＤと当該機器ＩＤに対応付けられたコンテンツ書込時刻とを読み込み、記憶部１３０に記憶されたコンテンツのうち、テレビ装置１０の機器ＩＤに対応付けられた書込時刻以降に録画したコンテンツを記憶メディア４０に書き込むことができる。これによりテレビ装置１０は、記憶メディア４０に書き込んだことがあるコンテンツを再度書き込むことなく、記憶部１３０に記憶されたコンテンツを記憶メディア４０に書き込むことができる。
【００４６】
また、記憶メディア４０に機器ＩＤと書込時刻とを対応付けて記憶させることにより、テレビ装置１０、録画再生装置２０及びコンピュータ３０等の複数のコンテンツ書込機器が記憶メディア４０に対してコンテンツを書き込む場合であっても、当該夫々の機器は記憶メディア４０に書き込んだことがあるコンテンツを再度書き込むことなく、夫々の機器に記憶されたコンテンツを記憶メディア４０に書き込むことができる。
【００４７】
またテレビ装置１０は、記憶部１３０に記憶されたコンテンツの記憶メディアへの書込可能回数を設定することができるため、例えば複数の記憶メディア４０が利用される場合であっても、コンテンツの書込回数を制限することができる。
【００４８】
（第２実施形態）
次に、図７乃至図９を参照して第２実施形態について説明する。
図７は、第２実施形態に係るテレビ装置１０及び記憶メディア４０のシステム構成例を示す図である。なお第２実施形態に係るテレビ装置１０及び記憶メディア４０のシステム構成における各機能ブロックは、第１実施形態とほぼ同様の機能を有する為、ここでは第１実施形態と異なる機能を有する機能ブロックを中心に説明する。
【００４９】
第２実施形態のテレビ装置１０において、コンテンツ書込制御部１２２は、当該テレビ装置１０に記憶メディア４０が装着されると、読込／書込部１４０を介して当該記憶メディア４０から機器ＩＤと書込済みコンテンツＩＤとを含む書込情報を読込む。そしてコンテンツ書込制御部１２２は、当該取得した書込情報に含まれる機器ＩＤ及び書込済コンテンツＩＤに基づいたコンテンツを読込／書込部１４０に出力し、当該読込／書込部１４０を介して記憶メディア４０に書込む。また、ここでコンテンツ書込制御部１２２は、記憶メディア４０に対してコンテンツを書込むとともに、テレビ装置１０の機器ＩＤと、記憶メディア４０に書込んだコンテンツのＩＤとを、記憶メディア４０の書込情報データベース４２に書込む。
【００５０】
なおコンテンツ書込制御部１２２は、記憶メディア４０から機器ＩＤと書込済コンテンツＩＤを読込んだ際に、テレビ装置１０の機器ＩＤに対応付けられている書込済コンテンツＩＤと一致するＩＤのコンテンツが記憶部１３０に記憶されていない場合、当該書込済コンテンツＩＤを記憶メディア４０から消去してもよい。
【００５１】
また第２実施形態の記憶メディア４０は、当該メディアの書込情報データベース４２に、機器ＩＤと書込済コンテンツＩＤとを対応付けて格納する。
続いて図８を参照して、第２実施形態に係る書込情報データベース４２のデータ構成例について説明する。
当該データベースには、機器ＩＤＤ１、コンテンツＩＤＤ２、書込時刻Ｄ３、サイズＤ４等が格納される。ここで機器ＩＤＤ１はテレビ装置１０等のコンテンツ書込機器のＩＤであり、コンテンツＩＤＤ２は、当該記憶メディア４０に対して書き込まれたコンテンツのＩＤであり、当該コンテンツＩＤＤ２は、書き込みを行ったコンテンツ書き込み機器の機器ＩＤＤ１に夫々対応付けられている。また書込時刻Ｄ３は、コンテンツの書き込みが行われた時刻であり、サイズＤ４は、書き込まれたコンテンツのサイズを示す。
【００５２】
そしてコンテンツ書込制御部１２２は、記憶メディア４０が当該テレビ装置１０に挿入されると、読込／書込部１４０を介して書込情報データベース４２を読み込み、当該データベースに基づいて、記憶部１３０に格納されたコンテンツのうち一部のコンテンツを記憶メディア４０に書き込む。即ちコンテンツ書込制御１２２は、読み込んだ書込情報データベース４２に、自機器のＩＤが格納されているか判別し、自機器ＩＤが格納されている場合、当該ＩＤに対応付けられている書込済コンテンツＩＤを抽出する。そして、記憶部１３０に記憶されているコンテンツのうち、書込済コンテンツＩＤと一致しないＩＤのコンテンツを記憶メディア４０に対して出力／書込みする。
【００５３】
なおコンテンツ書込制御部１２２は、記憶部１３０に記憶されているコンテンツのうち、書込済コンテンツＩＤと一致しないＩＤのコンテンツであって書込可能回数が１以上のコンテンツを、記憶メディア４０に対して書き込んでもよい。
【００５４】
またテレビ装置１０は、記憶メディア４０に書き込むコンテンツを、自機器ＩＤに対応付けられている書込時刻Ｃ３及びサイズＣ４に基づいて決定しても良い。即ち、テレビ装置１０は、書込情報データベースから自機器ＩＤに対応付けられている書込時刻及びサイズを抽出し、記憶部１３０に記憶されているコンテンツのうち、書込時刻及びサイズの両方が一致するコンテンツを、記憶メディア４０に対して書込済みのコンテンツであると判別し、一致しないコンテンツを記憶メディア４０に書き込んでも構わない。
【００５５】
またコンテンツ書込制御部１２２は、図８に示すようなテーブルの画面を表示部１９０に表示させ、当該テーブルから書込済コンテンツＩＤを消去するユーザ操作入力を受け付けてもよい。これによりテレビ装置１０は、記憶メディア４０に対して書込済みのコンテンツであっても、再度書き込む必要があるコンテンツを記憶メディア４０に書き込むことができる。
【００５６】
次に図９を参照して、第２実施形態に係るテレビ装置１０の処理フロー例を説明する。
まずテレビ装置１０に記憶メディア４０が挿入されると、コンテンツ書込制御部１２２は読込／書込部１４０を介して記憶メディア４０の記憶部４１に格納された書込情報データベース４２を読込み、当該データベースに含まれる機器ＩＤと当該機器ＩＤに対応付けられた書込済コンテンツＩＤを取得する（Ｓ６０１）。
【００５７】
そしてコンテンツ書込制御部１２２は、Ｎ＝１をセットした後（Ｓ６０２）、記憶部１３０に記憶されたＮ個のコンテンツのうちコンテンツＮの録画時刻と、記憶メディア４０から取得したＩＤのうちテレビ装置１０の機器ＩＤと一致するＩＤに対応付けられた書込済コンテンツＩＤとを比較する。そしてコンテンツＮのコンテンツＩＤが書込済コンテンツＩＤと一致する場合（Ｓ６０３のＮｏ）、コンテンツ書込制御部１２２はＳ６０８の処理を行う。
【００５８】
一方Ｓ６０３において、コンテンツＮのコンテンツＩＤが書込済コンテンツＩＤと一致しない場合（Ｓ６０３のＹｅｓ）、続いてコンテンツ書込制御部１２２は、コンテンツＮの書込可能回数を判別する。そして書込可能回数が１以上である場合（Ｓ６０４のＹｅｓ）、コンテンツ書込制御部１２２は、当該コンテンツＮのデータを読込／書込部１４０を介して記憶メディア４０に書込し、記憶部４１に書き込む（Ｓ６０５）。
【００５９】
またコンテンツ書込制御部１２２は、コンテンツＮを書き込むとともに、テレビ装置１０の機器ＩＤと、コンテンツＮのコンテンツＩＤとを対応付けて、記憶メディア４０の書込情報データベース４２に書き込む（Ｓ６０６）。そしてコンテンツ書込制御部１２２は、コンテンツＮの書込可能回数を１回分減らしてコンテンツ管理データベース１３２を更新する（Ｓ６０７）。
【００６０】
そしてコンテンツ書込制御部１２２は、Ｓ６０３〜Ｓ６０７において処理の対象となったコンテンツの番号が、記憶部１３０に記憶されたＮ個のコンテンツのうち何番目のコンテンツであるか判定し、コンテンツの番号がＮ以下である場合（Ｓ６０８のＮｏ）、次の番号のコンテンツをセットし（Ｓ６０９）、Ｓ６０３の処理を行う。
【００６１】
そしてコンテンツ書込制御部１２２は、Ｓ６０３〜Ｓ６０９の処理を繰り返し、Ｓ６０３〜Ｓ６０７での処理対象コンテンツの番号がＮ番であると（６０８のＹｅｓ）、当該コンテンツ書き込みに係る処理フローは完了する。
【００６２】
第２実施形態に拠れば、テレビ装置１０は、記憶メディア４０から機器ＩＤと当該機器ＩＤに対応付けられた書込済コンテンツＩＤとを読み込み、記憶部１３０に記憶されたコンテンツのうち、テレビ装置１０の機器ＩＤに対応付けられた書込済コンテンツＩＤと一致しないＩＤのコンテンツを記憶メディア４０に書き込むことができる。これによりテレビ装置１０は、記憶メディア４０に書き込んだことがあるコンテンツを再度書き込むことなく、記憶部１３０に記憶されたコンテンツを記憶メディア４０に書き込むことができる。
【００６３】
（第３実施形態）
次に図１０乃至図１２を参照して、第３実施形態について説明する。
図１０は、第３実施形態に係るテレビ装置１０及び記憶メディア４０のシステム構成例を示す図である。なお第３実施形態に係るテレビ装置１０及び記憶メディア４０のシステム構成における各機能ブロックは、第１及び第２実施形態とほぼ同様の機能を有する為、ここでは第１及び第２実施形態と異なる機能を有する機能ブロックを中心に説明する。
【００６４】
第３実施形態のテレビ装置１０において、コンテンツ書込制御部１２２は、当該テレビ装置１０に記憶メディア４０が装着されると、読込／書込部１４０を介して当該記憶メディア４０から当該記憶メディア４０のメディアＩＤを読込む。なおメディアＩＤとは、各記憶メディアに対して一意に割り当てられている識別子である。そしてコンテンツ書込制御部１２２は、記憶メディア４０にコンテンツを書き込む際に、当該書き込んだコンテンツに対して記憶メディア４０のメディアＩＤを対応付けた書込情報データベース１３３を、記憶部１３０に記憶させる。
【００６５】
そしてコンテンツ書込制御部１２２は、記憶部１３０に記憶されたコンテンツに対して、当該記憶メディア４０のメディアＩＤが対応付けられているか判別する。そしてコンテンツ書込制御部１２２は、記憶メディア４０のメディアＩＤが対応付けられていないコンテンツを記憶メディア４０に書き込む。
【００６６】
続いて図１１を参照して、第３実施形態に係るテレビ装置１０が記憶する書込情報データベース１３３の構成例について説明する。
第３実施形態に係る書込情報データベース１３３には、コンテンツＩＤＥ２、書込済メディアＩＤＥ３等が格納される。ここでコンテンツＩＤＥ２はコンテンツの識別子であり、書込済メディアＩＤＥ３は、コンテンツが書き込まれた記憶メディアのメディアＩＤである。なお当該書込済メディアＩＤＥ３は、コンテンツ毎に対応付けられ、記憶メディアに対して書き込まれていないコンテンツに対してはメディアＩＤは対応付けられない。
【００６７】
そして第３実施形態のテレビ装置１０において、コンテンツ書込制御部１２２は、記憶メディア４０が当該テレビ装置１０に挿入されると、読込／書込部１４０を介して当該記憶メディア４０のメディアＩＤを読み込み、当該メディアＩＤと、記憶部１３０に記憶されたコンテンツ書込データベース１３３とに基づいて、記憶部１３０に格納されたコンテンツのうち一部のコンテンツを記憶メディア４０に書き込む。即ちコンテンツ書込制御１２２は、記憶部１３０に記憶されているコンテンツに対して、記憶メディア４０のメディアＩＤが書込済メディアＩＤとして対応付けられているか否かを判別し、記憶メディア４０に対して書き込んでいないコンテンツを当該記憶メディア４０に書き込む。
【００６８】
なおコンテンツ書込制御部１２２は、記憶部１３０に記憶されているコンテンツのうち、記憶メディア４０に対して書き込んでいないコンテンツあって書込可能回数が１以上のコンテンツを、記憶メディア４０に対して書き込んでもよい。
【００６９】
次に図１２を参照して、第３実施形態に係るテレビ装置１０によるコンテンツ書込に係る処理フロー例について説明する。
まずテレビ装置１０に記憶メディア４０が挿入されると、コンテンツ書込制御部１２２は、読込／書込部１４０を介して記憶メディア４０から当該記憶メディア４０のメディアＩＤを読込む（Ｓ９０１）。
【００７０】
そしてコンテンツ書込制御部１２２は、Ｎ＝１をセットした後（Ｓ９０２）、記憶部１３０に記憶されたＮ個のコンテンツのうちコンテンツＮに対応付けられた書込済メディアＩＤと、記憶メディア４０から読込んだ当該記憶メディア４０のメディアＩＤとを比較する。そして記憶メディア４０のメディアＩＤがコンテンツＮに対応付けられた書込済メディアＩＤと一致する場合（Ｓ９０３のＮｏ）、コンテンツ書込制御部１２２はＳ９０９の処理を行う。
【００７１】
一方、コンテンツＮに対応付けられた書込済メディアＩＤが記憶メディア４０のメディアＩＤと一致しない場合、又はコンテンツＮに書込済メディアＩＤが対応付けられていない場合（Ｓ９０３のＹｅｓ）、コンテンツ書込制御部１２２は続いてコンテンツＮの書込可能回数を判定する。そしてコンテンツＮの書込可能回数が１以上である場合（Ｓ９０４のＹｅｓ）、コンテンツ書込制御部１２２はコンテンツＮのデータを記憶部１３０から読込み、当該コンテンツＮのデータを読込／書込部１４０を介して記憶メディア４０に出力して記憶部４１に書き込む（Ｓ９０５）。
【００７２】
そしてコンテンツ書込制御部１２２は、記憶メディア４０のメディアＩＤを、書込済メディアＩＤとしてコンテンツＮに対応付け（Ｓ９０６）、コンテンツＮの書込可能回数を１回分減らしてコンテンツ管理データベース１３２を更新する（Ｓ９０７）。
【００７３】
そしてコンテンツ書込制御部１２２は、Ｓ９０３〜Ｓ９０７において処理の対象となったコンテンツの番号が、記憶部１３０に記憶されたＮ個のコンテンツのうち何番目のコンテンツであるか判定し、コンテンツの番号がＮ以下である場合（Ｓ９０８のＮｏ）、次の番号のコンテンツをセットし（Ｓ９０９）、Ｓ９０３の処理を行う。
【００７４】
そしてコンテンツ書込制御部１２２は、Ｓ９０３〜Ｓ９０９の処理を繰り返し、Ｓ９０３〜Ｓ９０７での処理対象コンテンツの番号がＮ番であると（９０８のＹｅｓ）、当該コンテンツ書き込みに係る処理フローは完了する。
【００７５】
第３実施形態に拠れば、テレビ装置１０は、記憶メディア４０から当該記憶メディア４０のメディアＩＤを読み込み、記憶部１３０に記憶されたコンテンツのうち、当該記憶メディア４０のＩＤが書込済メディアＩＤとして対応付けられていないコンテンツを記憶メディア４０に書き込むことができる。これによりテレビ装置１０は、記憶メディア４０に書き込んだことがあるコンテンツを再度書き込むことなく、記憶部１３０に記憶されたコンテンツを記憶メディア４０に書き込むことができる。
【００７６】
また第３実施形態においては、コンテンツと当該コンテンツに対応付けられた書込済メディアＩＤについての書込情報がテレビ装置１０の記憶部１３０に記憶されることにより、当該書込情報が意図外に消去されることを抑制することができる。
【００７７】
即ち第１乃至第３実施例に拠れば、テレビ装置１０は、記憶メディア４０に書き込んだことがあるコンテンツを再度書き込むことなく、記憶部１３０に記憶されたコンテンツを記憶メディア４０に書き込むことができる。
【００７８】
そしてテレビ装置１０、録画再生装置２０及びコンピュータ３０等の複数のコンテンツ書込機器が記憶メディア４０に対してコンテンツを書き込む場合であっても、当該夫々の機器は記憶メディア４０に書き込んだことがあるコンテンツを再度書き込むことなく、夫々の機器に記憶されたコンテンツを記憶メディア４０に書き込むことができる。
【００７９】
またテレビ装置１０は、記憶部１３０に記憶されたコンテンツの記憶メディアへの書込可能回数を設定することができるため、例えば複数の記憶メディア４０が利用される場合であっても、コンテンツの書込回数を制限することができる。
【００８０】
なお、本発明は上記実施形態そのままに限定されるものではなく、実施段階ではその要旨を逸脱しない範囲で構成要素を変形して具現化できる。また、上記実施形態に開示されている複数の構成要素の適宜な組み合わせにより、種々の発明を形成できる。例えば、実施形態に示される全構成要素から幾つかの構成要素を削除してもよい。さらに異なる実施形態にわたる構成要素を適宜組み合わせてもよい。
【符号の説明】
【００８１】
１０…テレビ装置、２０…録画再生装置、２１…記憶部、２２…読込／書込部、３０…コンピュータ、３１…記憶部、３２…読込／書込部、４０…記憶メディア、４１…記憶部、１１０…受信部、１２０…制御部、１２１…録画再生制御部、１２２…コンテンツ書込制御部、１３０…記憶部、１４０…読込／書込部、１５０…デコード部、１６０…ＧＵＩ処理部、１７０…操作受付部、１８０…表示処理部、１９０…表示部
【図１】
0005537216.tif 000002
【図２】
0005537216.tif 000003
【図３】
0005537216.tif 000004
【図４】
0005537216.tif 000005
【図５】
0005537216.tif 000006
【図６】
0005537216.tif 000007
【図７】
0005537216.tif 000008
【図８】
0005537216.tif 000009
【図９】
0005537216.tif 000010
【図１０】
0005537216.tif 000011
【図１１】
0005537216.tif 000012
【図１２】
0005537216.tif 000013